(57)【特許請求の範囲】
【請求項１】
行方向および列方向に多数配列された光電変換素子上に，赤色の光成分，青色の光成分または緑色の光成分の透過を許すフィルタが配置され，上記光電変換素子に蓄積された信号電荷を垂直方向に転送する垂直転送路および上記垂直転送路から転送された信号電荷を１行分ずつ水平方向に転送する水平転送路を備え，上記水平転送路に入力する１行分の信号電荷が赤色の光成分，緑色の光成分，青色の光成分および緑色の光成分の順序の繰返しとなるように上記色フィルタが配置され，または上記垂直転送路が駆動される固体電子撮像装置において，
列方向に隣接する３つの上記光電変換素子に蓄積された信号電荷を混合することにより，３つの補色を表わす信号電荷を生成して転送するように上記水平転送路を駆動する駆動手段，
上記混合される３つの上記光電変換素子に蓄積された信号電荷の組み合わせを奇数行と偶数行とで交互に変えるように上記駆動手段を制御する混合制御手段，ならびに
上記駆動手段の駆動により混合された補色を表わす信号電荷であって，水平方向に２画素，垂直方向に２画素に互いに隣接する４つの画素のうち，少なくとも３画素に相当する補色を表わす信号電荷を用いて赤色，青色および緑色信号を生成する色信号生成手段，
を備えた固体電子撮像装置。
【請求項２】
上記混合制御手段が，混合する３つの上記光電変換素子を奇数行と偶数行とで交互に１列または２列分ずらすことにより，３つの上記光電変換素子に蓄積された信号電荷の組み合わせを奇数行と偶数行とで交互に変えるものである，
請求項１に記載の固体電子撮像装置。
【請求項３】
上記光電変換素子が，奇数列については，奇数行または偶数行に配置され，かつ偶数列については，偶数行または奇数行に配置されているハニカム型配列のものであり，
奇数行または偶数行に緑色の光成分の透過を許す色フィルタが配置され，偶数行または奇数行に青色または赤色の光成分の透過を許す色フィルタが列ごとに，かつ行ごとに交互に配置されている，
請求項１に記載の固体電子撮像装置。
【請求項４】
上記色フィルタが，緑色の光成分の透過を許すものについては，縦ストライプに配置され，青色または赤色の光成分の透過を許すものについては，市松に配置されているＧストライプＲＢ市松色フィルタ配列である，
請求項１に記載の固体電子撮像装置。
【請求項５】
上記駆動手段による信号電荷の混合が，ブランキング期間に行われるものである，請求項１に記載の固体電子撮像装置。
【請求項６】
行方向および列方向に多数配列された光電変換素子上に，赤色の光成分，青色の光成分または緑色の光成分の透過を許すフィルタが配置され，上記光電変換素子に蓄積された信号電荷を垂直方向に転送する垂直転送路および上記垂直転送路から転送された信号電荷を１行分ずつ水平方向に転送する水平転送路を備え，上記水平転送路に入力する１行分の信号電荷が赤色の光成分，緑色の光成分，青色の光成分および緑色の光成分の順序の繰返しとなるように上記色フィルタが配置され，または上記垂直転送路が駆動される固体電子撮像装置の動作制御方法であって，
列方向に隣接する３つの上記光電変換素子に蓄積された信号電荷の組み合わせを奇数行と偶数行とで交互に変えて混合することにより，３つの補色を表わす信号電荷を生成して転送するように上記水平転送路を駆動する工程と，
混合された補色を表わす信号電荷であって，水平方向に２画素，垂直方向に２画素に互いに隣接する４つの画素のうち，少なくとも３画素に相当する補色を表わす信号電荷を用いて赤色，青色および緑色信号を生成する工程と，
を有することを特徴とする固体電子撮像装置の動作制御方法。
【発明の詳細な説明】
【０００１】
【技術分野】
この発明は，多数の光電変換素子を備え，この光電変換素子上に色フィルタが配置されている固体電子撮像装置に関する。
【０００２】
【発明の背景】
奇数列については，奇数行または偶数行に配置され，かつ偶数列については，偶数行または奇数行に配置されているハニカム型配列のＣＣＤが開発されている。ハニカム配列のＣＣＤにおいては，たとえば，奇数行または偶数行に緑色の光成分の透過を許す色フィルタが配置され，偶数行または奇数行に青色または赤色の光成分の透過を許す色フィルタが列ごとに，かつ行ごとに交互に配置されている。
【０００３】
このようなハニカム型配列のＣＣＤにおいては，１／２の信号電荷量となるように間引きが行われると，各行の色フィルタの配列が同じの場合と等価となってしまうことがある。たとえば，Ｒ（赤），Ｇ（緑）またはＢ（青）の光成分の透過を許す色フィルタが同じ列すべてに配列されている固体電子撮像素子と同じものとなってしまう。このような場合において，水平方向に隣接する３画素に相当する信号電荷を混合して補色を生成すると，各列すべてがホワイト（Ｗ），イエロー（Ｙｅ）またはシアン（Ｃｙ）となってしまう（補色を生成するのは，補色を生成することにより信号電荷によって表わされる画素数は実質的に１／３となり転送を速くできるからである）。
【０００４】
生成された補色を表す信号からＲＧＢ色信号を戻すには，ホワイト，イエローおよびシアンの３つの補色信号が必要であるが，水平方向に４画素分の信号電荷を用いなければ，ホワイト，イエローおよびシアンの３つの補色を得ることができない。このため，信号処理を工夫しても，偽色が発生してしまう。
【０００５】
このような問題は，緑色の光成分の透過を許すものについては，縦ストライプに配置され，青色または赤色の光成分の透過を許すものについては，市松に配置されているいわゆるＧストライプＲＢ市松色フィルタ配列についても同様である。
【０００６】
【発明の開示】
この発明は，偽色の発生を未然に防止することを目的とする。
【０００７】
この発明は，行方向および列方向に多数配列された光電変換素子上に，赤色の光成分，青色の光成分または緑色の光成分の透過を許すフィルタが配置され，上記光電変換素子に蓄積された信号電荷を垂直方向に転送する垂直転送路および上記垂直転送路から転送された信号電荷を１行分ずつ水平方向に転送する水平転送路を備え，上記水平転送路に入力する１行分の信号電荷が赤色の光成分，緑色の光成分，青色の光成分および緑色の光成分の順序の繰返し（青色の光成分，緑色の光成分，赤色の光成分および緑色の光成分の順序の繰返し，緑色の光成分，赤色の光成分，緑色の光成分および青色の光成分の順序の繰返し，ならびに緑色の光成分，青色の光成分，緑色の光成分および赤色の光成分の繰返しも含む）となるように上記色フィルタが配置され，または上記垂直転送路が駆動される（たとえば，水平転送路に入力する１行分の信号電荷が赤色の光成分，緑色の光成分，青色の光成分および緑色の光成分の順序の繰返しとなるように，画素間引きが行なわれるように上記垂直転送路が駆動される。）固体電子撮像装置において，列方向に隣接する３つの上記光電変換素子に蓄積された信号電荷を混合することにより，３つの補色を表わす信号電荷を生成して転送するように上記水平転送路を駆動する駆動手段，ならびに上記混合される３つの上記光電変換素子に蓄積された信号電荷の組み合わせを奇数行と偶数行（水平転送路に入力する信号電荷が実質的に１行とみなされれば１行と考えることができる）とで交互に変えるように上記駆動手段を制御する混合制御手段を備えていることを特徴とする。
【０００８】
この発明は，上記装置に適した動作制御方法も提供している。すなわち，この方法は，行方向および列方向に多数配列された光電変換素子上に，赤色の光成分，青色の光成分または緑色の光成分の透過を許すフィルタが配置され，上記光電変換素子に蓄積された信号電荷を垂直方向に転送する垂直転送路および上記垂直転送路から転送された信号電荷を１行分ずつ水平方向に転送する水平転送路を備え，上記水平転送路に入力する１行分の信号電荷が赤色の光成分，緑色の光成分，青色の光成分および緑色の光成分の順序の繰返しとなるように上記色フィルタが配置され，または上記垂直転送路が駆動される固体電子撮像装置において，列方向に隣接する３つの上記光電変換素子に蓄積された信号電荷を混合することにより，３つの補色を表わす信号電荷を生成して転送するように上記水平転送路を駆動し，上記混合される３つの上記光電変換素子に蓄積された信号電荷の組み合わせを奇数行と偶数行とで交互に変えるように上記駆動手段を制御するものである。
【０００９】
上記水平転送路に入力する１行分の信号電荷が赤色の光成分，緑色の光成分，青色の光成分および緑色の光成分の順序の繰返しとなっている。このような場合に補色信号を生成しようとすると，上述したように偽色が発生してしまう。この発明によると，列方向に隣接する３つの上記光電変換素子に蓄積された信号電荷を混合して転送するときに，この混合される３つの上記光電変換素子に蓄積された信号電荷の組み合わせを，奇数行と偶数行とで交互に変えている。このために，列方向に隣接する３つの上記光電変換素子に蓄積された信号電荷を混合した場合に，同じ列であっても奇数行と偶数行とでは異なる補色が生成される。同じ列については同じ補色を表す信号が生成されてしまうことを防止できるので，偽色の発生を未然に防止することができる。
【００１０】
たとえば，混合する３つの上記光電変換素子を奇数行（画素間引きが行なわれた後に信号電荷が水平転送路に入力するときには，その入力する画素間引き後の信号電荷によって表される１駒分の画像における奇数行と偶数行）と偶数行とで交互に１列または２列分ずらすことにより，３つの上記光電変換素子に蓄積された信号電荷の組み合わせを奇数行と偶数行とで交互に変える。
【００１１】
上記光電変換素子は，たとえば，奇数列については，奇数行または偶数行に配置され，かつ偶数列については，偶数行または奇数行に配置されているハニカム型配列のものである。この場合には，奇数行または偶数行に緑色の光成分の透過を許す色フィルタが配置され，偶数行または奇数行に青色または赤色の光成分の透過を許す色フィルタが列ごとに，かつ行ごとに交互に配置されることとなろう。
【００１２】
上記色フィルタが，緑色の光成分の透過を許すものについては，縦ストライプに配置され（奇数列または偶数列のすべての行に緑色の光成分の透過を許すフィルタが配置され），青色または赤色の光成分の透過を許すものについては，市松に配置されている（偶数列または奇数列において各行ごとに青色の光成分の透過を許す色フィルタと赤色の光成分の透過を許す色フィルタが交互に配置されている）ＧストライプＲＢ市松色フィルタ配列についても適用できる。
【００１３】
上記駆動手段による信号電荷の混合は，たとえば，信号電荷の通常の転送期間以外のブランキング期間に行われる。
【００１４】
また，混合された補色を表わす信号電荷であって，水平方向に２画素，垂直方向に２画素に互いに隣接する４つの画素のうち，少なくとも３画素に相当する補色を表わす信号電荷を用いて赤色，青色および緑色信号を生成できる。
【００１５】
【実施例の説明】
図１は，ＣＣＤ２の受光面上の一部を示している。
【００１６】
ＣＣＤ２には，多数のフォトダイオード11が配列されている。これらのフォトダイオード11は，奇数列については偶数行に配置され，偶数列については奇数行に配置されている。もっとも，奇数列については奇数行に配置し，偶数列については，偶数列に配置するようにしてもよい。フォトダイオード11の受光領域上には，赤色の光成分を透過する特性を有するＲ色フィルタ，青色の光成分を透過する特性を有するＢ色フィルタまたは緑色の光成分を透過する特性を有するＧ色フィルタが形成されている。Ｒ色フィルタが形成されているフォトダイオード11に「Ｒ」の文字が付与され，Ｂ色フィルタが形成されているフォトダイオード11に「Ｂ」の文字が付与され，Ｇ色フィルタが形成されているフォトダイオード11にＧ」の文字が付与されている。フォトダイオード11の受光領域は平面から見て六角形とされている。
【００１７】
フォトダイオード11の各列の右側（左側でもよい）には垂直転送路12が形成されている。垂直転送路12を構成する垂直転送電極Ｖ１からＶ８は各行に２つずつ設けられている。すなわち，１つのフォトダイオード11に対応して行方向に２つの垂直転送電極が設けられている。垂直転送電極Ｖ１からＶ８に垂直転送パルスφＶ１からφＶ８が与えられることにより，フォトダイオード11に蓄積された信号電荷が垂直転送路12内を行方向（垂直方向）に転送させられる。
【００１８】
フォトダイオード11と垂直転送路12との間には，フォトダイオード11に蓄積された信号電荷を垂直転送路12にシフトするためのトランスファ・ゲート13が形成されている。このトランスファ・ゲート13に読み出しパルスが与えられることにより（トランスファ・ゲート13に対応する垂直転送電極に垂直転送パルスが与えられると），フォトダイオード11に蓄積された信号電荷が垂直転送路12にシフトされる。
【００１９】
ＣＣＤ２の行方向の最下段には，与えられる水平転送パルスに応じて信号電荷を列方向（水平方向）に転送するための水平転送路15が設けられている。垂直転送路12内を転送させられた信号電荷が水平転送路15に与えられると，水平方向に信号電荷が転送させられ，増幅回路16を介して外部に出力される。
【００２０】
水平転送路15は，隣接する６個の水平転送電極Ｈ１からＨ６が１つの組とされて，その組の繰り返しで構成されている。水平転送電極Ｈ１からＨ６にそれぞれ，水平転送パルスφＨ１からφＨ６が与えられる。
【００２１】
図２は，フォトダイオード11に蓄積された信号電荷を垂直転送路12にシフトするときの垂直転送パルスを示している。図２に示す垂直転送パルスφＶ１〜φＶ８が垂直転送電極に与えられることにより，垂直方向の１／２画素間引きが行われることとなる。
【００２２】
フォトダイオード11に蓄積された信号電荷を垂直転送路12にシフトする処理は，１Ｖに１回の割合で水平帰線消去期間内（時刻ｔ１〜ｔ６の間）に行われる。
【００２３】
時刻ｔ１において，水平帰線消去期間が開始する。時刻ｔ２において，垂直転送電極Ｖ１にＨレベルの垂直転送パルスφＶ１が与えられる。時刻ｔ３からＴ４の間において，垂直転送電極Ｖ１およびＶ３に２Ｈレベルの垂直転送パルスφＶ１およびφＶ３が与えられる。すると，第４ｎ＋１行と第４ｎ＋２行のフォトダイオード11に蓄積されていた信号電荷がフォトダイオード11から垂直転送路12にシフトされる。
【００２４】
第４ｎ＋３行および第４ｎ＋４行のフォトダイオード11に蓄積された信号電荷は，垂直転送路12にシフトされないので，垂直方向における１／２の画素間引きとなる。
【００２５】
図３は，垂直転送路12にシフトされた信号電荷を垂直方向に転送するときの垂直転送パルスを示している。
【００２６】
水平帰線消去期間の間の時刻ｔ11，時刻ｔ12，時刻ｔ13，時刻ｔ14，時刻ｔ15，時刻ｔ16，時刻ｔ17および時刻ｔ18において，垂直転送パルスφＶ１，φＶ２，φＶ３，φＶ４，φＶ５，φＶ６，φＶ７およびφＶ８がそれぞれＨレベルとなる。このような垂直転送パルスが水平帰線消去期間ごとに繰り返し垂直転送電極に与えられることにより，垂直転送電極Ｖ１およびＶ３にシフトされた信号電荷が垂直方向に（水平転送路15の方向に）転送させられていくこととなる。
【００２７】
図４は，水平転送路15における画素混合（信号電荷の混合）の様子を示している。
【００２８】
この実施例においては水平転送路15においてＲＧＢの信号電荷が画素混合させられ，シアン，イエローおよびホワイトの補色を表す信号電荷が生成される。生成された補色を表す信号電荷が水平転送させられることとなる。
【００２９】
垂直転送電極12から出力された信号電荷は，Ｒ，Ｇ，Ｂ，Ｇのそれぞれの色成分を表わす信号電荷の繰返しとなっている。奇数行（垂直方向に１／２画素間引きが行われた後の奇数行であり，図１においては第８ｍ（ｍは０または自然数）＋１行および第８ｍ＋２行）および偶数行（垂直方向に１／２画素間引きが行われた後の偶数行であり，図１においては第８ｍ＋５行および第８ｍ＋６行）（以下，奇数行および偶数行は画素間引き後の行をいう）のそれぞれのフォトダイオード11に蓄積された信号電荷をいずれも水平方向において３画素の混合を行うと補色ストライプとなってしまう。この実施例においては，奇数行のＲＧＢの信号電荷と偶数行のＲＧＢの信号電荷とでは，画素混合すべき３画素の信号電荷の開始位置を１画素分変えている。これにより，垂直方向に隣接する２行において水平方向に隣接する２画素の計４画素ですべての補色（シアン，イエローおよびホワイト）の信号電荷が得られる。偽色の発生を未然に防止することができるようになる。
【００３０】
図５（Ａ）および（Ｂ）は，水平転送電極に与えられる水平転送パルスを示している。図６は，奇数行のフォトダイオード11に蓄積された信号電荷を転送する様子を示している。図７は，偶数行のフォトダイオード11に蓄積された信号電荷を転送する様子を示している。図６および図７においては，水平転送路15の水平転送電極Ｈ１からＨ６を簡単のために数字で表している。
【００３１】
奇数行のフォトダイオード11に蓄積された信号電荷を水平方向に転送するときには，ＲＧＢの信号電荷が混合されシアン，イエローおよびホワイトの補色を表わす信号電荷が生成される。信号電荷の混合は水平帰線消去期間内において行なわれる。時刻ｔ21において，水平転送電極Ｈ２，Ｈ４およびＨ６に水平転送パルスφＨ２，φＨ４およびφＨ６が与えられる。すると，水平転送電極Ｈ２，Ｈ４およびＨ６の下部にＧ，ＲまたはＢの光成分を示す信号電荷がＲ，Ｇ，Ｂ，Ｇの順序でシフトされる。
【００３２】
時刻ｔ22において，水平転送電極Ｈ６，Ｈ１およびＨ３に水平転送パルスφＨ６，φＨ１およびφＨ３がそれぞれ与えられる。すると，Ｒの光成分，Ｇの光成分およびＢの光成分を表す信号電荷のうち，２つの信号電荷については混合され，他の１つの信号電荷については１水平電極分だけ転送させられることとなる。たとえば，図６の符号Ａ１で示すようにＧ光成分の信号電荷とＲ光成分の信号電荷とが混合することとなる。
【００３３】
時刻ｔ23において，水平転送電極Ｈ２およびＨ６に水平転送パルスφＨ２およびφＨ６がそれぞれ与えられる。すると，信号電荷は，１水平転送電極分だけ水平方向に転送させられることととなる。
【００３４】
時刻ｔ24において，水平転送電極Ｈ１およびＨ６に水平転送パルスφＨ１およびφＨ６がそれぞれ与えられる。すると，Ｒ，Ｇ，Ｂの３つの光成分を表す信号電荷のうち，ＧＲＧ，ＢＧＲまたはＧＢＧの信号電荷の組み合わせのいずれかで混合することとなる。たとえば，図６符号Ａ２に示すようにＧＲＧの信号電荷が混合することとなる。
【００３５】
時刻ｔ25において，水平転送電極Ｈ６に水平転送パルスφＨ６が与えられる。すると，１つの水平転送電極下に混合された信号電荷が蓄積されることとなる。ＲＧＢの光成分の組み合わせに応じて，ホワイト（Ｗ），イエロー（Ｙｅ）またはシアン（Ｃｙ）のいずれかの補色を表す信号電荷となる。図６の符号Ａ２およびＡ３で示すようにＧ，Ｒ，Ｇの組み合わせの信号電荷が混合させられることにより，イエローの色を表す信号電荷となり，Ｒ，Ｇ，Ｂの組み合わせの信号電荷が混合させられることにより，ホワイトの色を表す信号電荷となり，Ｇ，Ｂ，Ｇの組み合わせの信号電荷が混合させられることにより，シアンの色を表す信号電荷となる。
【００３６】
信号電荷の画素混合によりＲＧＢの色信号が補色の色信号に変換されるので，実質的に転送すべき信号電荷の量が減る（画素数の低減）こととなる。水平転送した場合に迅速に転送することができるようになる。
【００３７】
偶数行のフォトダイオード11に蓄積された信号電荷を水平転送するときには，画素混合する開始点が奇数行の場合と比べて１画素分ずれるように水平転送パルスが水平転送路15に与えられる。
【００３８】
具体的には，時刻ｔ31においては，奇数行における水平転送と同様に，水平転送電極Ｈ２，Ｈ４およびＨ６に水平転送パルスφＨ２，φＨ４およびφＨ６が与えられる。すると，水平転送電極Ｈ２，Ｈ４およびＨ６の下部にＧ，ＲまたはＢの光成分を示す信号電荷がＲ，Ｇ，Ｂ，Ｇの順序でシフトされる。
【００３９】
時刻ｔ32において，水平転送電極Ｈ１，Ｈ４およびＨ５に水平転送パルスφＨ１，φＨ４およびφＨ５がそれぞれ与えられる。すると，Ｒ光成分，Ｇ光成分およびＢ光成分を表す信号電荷のうち，２つの信号電荷については混合され，他の１つの信号電荷については１水平電極分だけ転送させられることとなる。たとえば，図７の符号Ａ４で示すようにＧ光成分の信号電荷とＢ光成分の信号電荷とが混合することとなる。
【００４０】
時刻ｔ33において，水平転送電極Ｈ４およびＨ６に水平転送パルスφＨ４およびφＨ６がそれぞれ与えられる。すると，信号電荷は，１水平転送電極分だけ水平方向に転送させられることととなる。
【００４１】
時刻ｔ34において，水平転送電極Ｈ４およびＨ５に水平転送パルスφＨ４およびφＨ５がそれぞれ与えられる。すると，Ｒ，Ｇ，Ｂの３つの光成分を表す信号電荷のうち，ＧＲＧ，ＢＧＲまたはＧＢＧの信号電荷の組み合わせのいずれかで混合することとなる。たとえば，図６符号Ａ５に示すようにＢＧＲの信号電荷が混合することとなる。
【００４２】
時刻ｔ35において，水平転送電極Ｈ４に水平転送パルスφＨ４がそれぞれ与えられる。すると，１つの水平転送電極下に混合された信号電荷が蓄積されることとなる。ＲＧＢの光成分の組み合わせに応じて，ホワイト（Ｗ），イエロー（Ｙｅ）またはシアン（Ｃｙ）のいずれかの補色を表す信号電荷となる。図７の符号Ａ５およびＡ６で示すようにＲ，Ｇ，Ｂの組み合わせの信号電荷が混合させられることにより，ホワイトの色を表す信号電荷となり，Ｇ，Ｒ，Ｇの組み合わせの信号電荷が混合させられることにより，イエローの色を表す信号電荷となり，Ｇ，Ｂ，Ｇの組み合わせの信号電荷が混合させられることにより，シアンの色を表す信号電荷となる。
【００４３】
図８は，ＣＣＤ２から出力された補色信号によって表される補色画素の一部を示している。
【００４４】
上述したように奇数行と偶数行とで画素混合に用いる３画素の開始時点を変えている。このために垂直方向に隣接する２行において水平方向に隣接する２画素の計４画素ですべての補色の信号電荷が得られる。
【００４５】
奇数行と偶数行とで画素混合に用いる３画素の開始時点を変えているために，補色画素が奇数行と偶数行とで１／３画素分位相ずれが生じている。この位相ずれは，後述するようにディジタル信号処理回路によって図９に示すように位相が合うように位相調整される。
【００４６】
上述した実施例においては，奇数行と偶数行とで混合すべき画素を１画素ずらしているが２画素ずらすようにしてもよい。２画素ずらす実施例が図10から図12に示すものである。
【００４７】
図10は，ＲＧＢの信号電荷からシアン，ホワイトおよびイエローの補色の信号電荷を生成する様子を示している。
【００４８】
奇数行のＲＧＢの信号電荷から補色の信号電荷を生成するときには，水平方向において３番目のＲＧＢの信号電荷から３つの画素ずつ用いて補色の信号電荷を生成する。偶数行のＲＧＢの信号電荷から補色の信号電荷を生成するときには，水平方向において最初のＲＧＢの信号電荷から補色の信号電荷の生成に用いる。これにより，図11に示すように奇数行の補色と偶数行の補色とで２／３画素だけ位相がずれた信号電荷が得られる。
【００４９】
奇数行の補色と偶数行の補色とで２／３画素だけ位相がずれた信号電荷は，後述のようにディジタル信号処理回路において位相が合うように位相調整が行われる（図12参照）。
【００５０】
図10から図12に示す例においても垂直方向に隣接する２行において水平方向に隣接する２画素の計４画素ですべての補色の信号電荷が得られる。このために，偽色の発生を未然に防止することができるようになる。
【００５１】
上述した実施例においては，ハニカム配列のＣＣＤについて説明したが，ハニカム配列以外の配列たとえば，ＧストライプＲＧ市松配列のＣＣＤにも適用することができる。すなわち，水平転送路15に入力する１行分のＲＧＢの色データがＲＧＢＧの順序で現れるものから３画素を混合して補色を生成するものについて適用することができる。
【００５２】
図13は，上述したＣＣＤ２を備えたディジタル・スチル・カメラの電気的構成を示すブロック図である。
【００５３】
ディジタル・スチル・カメラの全体の動作は，ＣＰＵ44によって統括される。
【００５４】
ディジタル・スチル・カメラには，駆動回路43が含まれている。この駆動回路43によって上述した垂直転送パルス，水平転送パルス等が生成され，ＣＣＤ２に与えられる。また，そのほかのクロック・パルスも生成され，駆動回路43から各回路に与えられる。
【００５５】
モードを設定するためのスイッチ等を含む操作スイッチ45が含まれており，その操作スイッチ45からの信号およびシャッタ・スイッチ46からの信号は，ＣＰＵ44に入力する。
【００５６】
さらに，ディジタル・スチル・カメラには，ストロボ撮影が可能なようにストロボ42が含まれている。
【００５７】
ディジタル・スチル・カメラに用いられるＣＣＤ２は，上述した構造のものが用いられる。
【００５８】
撮像モードにおいては，ズーム・レンズ31によって被写体像がシャッタおよび絞り32を介してＣＣＤ２の受光面上に結像する。上述のようにしてＣＣＤ２において補色信号が生成され，被写体像を表すこの補色信号はアナログ信号処理回路34に入力する。アナログ信号処理回路34において所定のアナログ信号処理が行われ，アナログ／ディジタル変換回路35においてディジタル画像データに変換される。
【００５９】
ディジタル画像データは，ディジタル信号処理回路36において上述したように奇数行と偶数行の補色信号の位相ずれが調整される。たとえば，２ライン分のライン・メモリに２行分の補色データが記憶され，サンプリング処理が施されることにより，位相ずれが調整される。位相ずれが調整された補色データからＲＧＢの色画像データに再び戻される。
【００６０】
２行分の補色データであって，互いに隣接する２画素の計４画素の補色データのうち，３画素の補色データからＲＧＢの画像データを生成するときには，式１から式３にもとづいて生成処理が行われる。式１から式３および後述の式４から式６においては添字は図９に示すように，１つめは列を示し，２つめは行を示している。
【００６１】
Ｒ11＝（２Ｗ11＋Ｙｅ21−２Ｃｙ12）／３    式１
Ｇ11＝（Ｙｅ21＋Ｃｙ12−Ｗ11）／３        式２
Ｂ11＝（２Ｗ11＋Ｃｙ12−Ｙｅ21）／３      式３
【００６２】
２行分の補色データであって，互いに隣接する２画素の計４画素の補色データからＲＧＢの画像データを生成するときには，式４から式６にもとづいて生成処理が行われる。
【００６３】
Ｒ11＝（Ｗ11＋Ｗ22＋Ｙｅ21−２Ｃｙ12）／３      式４
Ｇ11＝（２Ｙｅ21＋２Ｃｙ12−Ｗ11−Ｗ22）／６    式５
Ｂ11＝（Ｗ11＋Ｗ22＋Ｃｙ12−Ｙｅ21）／３        式６
【００６４】
ディジタル信号処理回路36から出力された画像データは，ディジタル・エンコーダ37を介して液晶表示装置38に与えられることにより，被写体像が可視表示されることとなる。偽色の発生が防止された比較的きれいな画像が表示されることとなる。
【００６５】
シャッタ・スイッチ46が押されると，ディジタル信号処理回路36から出力されたＲＧＢ画像データは，メモリ39に一時的に記憶される。ＲＧＢの画像データは，メモリ39から読み出され，圧縮／伸長回路40に入力し，圧縮処理が行われる。圧縮された画像データがメモリ・カード41に記録されることとなる。
【００６６】
操作スイッチ45により再生モードが設定されると，メモリ・カード41に記録されている圧縮画像データが読み出される。読み出された圧縮画像データは，圧縮／伸長回路40において伸長される。伸長された画像データがメモリ39，ディジタル信号処理回路36およびディジタル・エンコーダ37を介して液晶表示装置38に与えられれることにより，メモリ・カード41に記録されていた画像データによって表される画像が表示されることとなる。
【図面の簡単な説明】
【図１】ＣＣＤの受光面の一部を示している。
【図２】フォトダイオードに蓄積された信号電荷を垂直転送路にシフトするときのタイム・チャートである。
【図３】信号電荷を垂直転送するときのタイム・チャートである。
【図４】奇数行と偶数行とで混合させるべき画素の開始点を変える様子を示している。
【図５】（Ａ）および（Ｂ）は，信号電荷を水平転送するときのタイム・チャートである。
【図６】奇数行の信号電荷の水平転送を示している。
【図７】偶数行の信号電荷の水平転送を示している。
【図８】画素混合により得られた補色の信号電荷を示している。
【図９】位相調整された補色の信号電荷を示している。
【図１０】奇数行と偶数行とで混合させるべき画素の開始点を変える様子を示している。
【図１１】画素混合により得られた補色の信号電荷を示している。
【図１２】位相調整された補色の信号電荷を示している。
【図１３】ディジタル・スチル・カメラの電気的構成を示すブロック図である。
【符号の説明】
２  ＣＣＤ
11  フォトダイオード
12  垂直転送路
15  水平転送路
【図１】
0004113653.tif 000002
【図２】
0004113653.tif 000003
【図３】
0004113653.tif 000004
【図４】
0004113653.tif 000005
【図５】
0004113653.tif 000006
【図６】
0004113653.tif 000007
【図７】
0004113653.tif 000008
【図８】
0004113653.tif 000009
【図９】
0004113653.tif 000010
【図１０】
0004113653.tif 000011
【図１１】
0004113653.tif 000012
【図１２】
0004113653.tif 000013
【図１３】
0004113653.tif 000014